(57)【特許請求の範囲】
【請求項１】
湯水を所定の目的で使用する個々の湯水使用空間に導かれた給水管と給湯管とに接続され、給水管からの水及び給湯管からの湯を適宜温度に混合する一次混合部と、該一次混合部からの混合湯水を吐出する第１の水栓と、該一次混合部からの混合湯水を更に水と混合する二次混合部を有する第２の水栓とを備え、
前記一次混合部は、前記第１の水栓と、前記第２の水栓との間に配置され、
前記湯水使用空間は浴室であると共に、前記第１の水栓は該浴室に配置される浴槽用水栓であり、前記第２の水栓は該浴室に配置される洗い場用水栓であることを特徴とする水栓ユニット。
【発明の詳細な説明】
【０００１】
【発明の属する技術分野】
この発明は水栓ユニットに関するものである。
【０００２】
【従来の技術】
住宅等の生活空間には、湯水を入浴のために用いる浴室や、炊事のために用いる台所等の種々の湯水使用空間（以下、「使用空間」という。）が設けられている。かかる使用空間の中には、複数の湯水混合栓が配置されたものがある。例えば、浴室においては、浴槽用及び洗い場用の２つの湯水混合栓を配置する場合がある。このような場合には個々の使用空間に導かれた給水管及び給湯管を各々分岐させ、各湯水混合栓に個々に接続するのが一般的である。そして、これらの湯水混合栓には、個々に温度調節のための操作が施されている。
【０００３】
【発明が解決しようとする課題】
しかしながら、前記各湯水混合栓は、湯水の混合機構（２ハンドルタイプ、サーモスタットタイプ等の混合機構）を有しているため、そのコンパクト化には限りがある。このため、各使用空間に配置された湯水混合栓のうちの何れかにコンパクト化の要請があっても、これに上手く対応できないことがある。
また、給湯管から各湯水混合栓に給湯される湯は、通常、高温（例えば、８０〜９０℃程度）であるため、使用者が各湯水混合栓の水栓本体やこれを給湯管に接続するための接続継手に手を触れると火傷をする恐れがある。また、このように給湯される湯が高温であるため、温調ハンドルや吐水方向の切換ハンドル等の操作を誤ると、シャワー等より熱湯を噴出させ全身で浴びる恐れもある。
【０００４】
ここで、住宅等に所定の混合部を設け、この混合部で給水管からの水と、給湯管からの湯を予め混合して低温域の混合湯水としてから、この混合湯水を浴室、洗面所等の低温域の湯を使用する頻度の高い使用空間に供給する配管設備が提案されている（特開平８−１５１６６７号公報）。
しかしながら、この混合部は、浴室ばかりでなく、洗面所、台所等の全ての使用空間の上流側、即ち、住宅に配置される全ての水栓の上流側に設けられているため、この混合部から各水栓までの配管の長さが異なり、各水栓に供給される混合湯水の温度にばらつきを生じ易い。従って、実際の使用では、これを踏まえて、混合部から十分に熱い混合湯水を供給せざるを得ないため、この設備を用いた所で、前記「火傷をする恐れ」や「熱湯を浴びる恐れ」等が残ることとなる。
また、この配管設備では、このように低温域の湯を使用する頻度の高い使用空間にも十分に熱い混合湯水が供給されるため、結局、これらの空間に配置される各水栓が、この混合湯水を更に水と混合して適温にするための混合機構を備えることになる。従って、この配管設備では、この混合部を設けた分だけ、この設備全体の施工、保守、点検等の手間と、コストが増すばかりで、あまり大きな効果を期待できない。
このような事情より、使用空間に複数の水栓を配置する場合に、所望の水栓のコンパクト化を図りつつ、各水栓を安全に使用できることが望まれている。
【０００５】
本発明は前記観点に鑑みてなされたものであり、使用空間に複数の水栓を配置する場合に、各水栓の性能を落とさずに、所望の水栓をコンパクトにできると共に、各水栓の安全性を高められる水栓ユニットを提供することを目的とする。
【０００６】
【課題を解決するための手段】
請求項１の水栓ユニットは、湯水を所定の目的で使用する個々の使用空間に導かれた給水管と給湯管とに接続され、給水管からの水及び給湯管からの湯を適宜温度に混合する一次混合部と、該一次混合部からの混合湯水を吐出する第１の水栓と、該一次混合部からの混合湯水を更に水と混合する二次混合部を有する第２の水栓とを備え、
前記一次混合部は、前記第１の水栓と、前記第２の水栓との間に配置され、
前記使用空間は浴室であると共に、前記第１の水栓は該浴室に配置される浴槽用水栓であり、前記第２の水栓は該浴室に配置される洗い場用水栓であることを特徴とする。
本発明では、各使用空間という限られた範囲に、一次混合部及び各水栓を配置し、この混合部の下流側の配管を短くしているため、一次混合部から供給される混合湯水がこの配管を流れる間の温度変化は無視できる程度となる。従って、各使用空間では、給湯管の上流側から供給される湯（例えば、８０〜９０℃程度の高温域の湯）と、給水管の上流側から供給される水とを一次混合部で混合して、第１の水栓から吐水させたい温度の混合湯水とすればよい。即ち、一次混合部から供給する混合湯水の温度を、各水栓に至るまでの間の温度低下を踏まえて高目（例えば、６０〜８０℃程度の中温域や高温域）にする必要がない。
【０００７】
従って、本ユニットは、浴室、洗面所等のように、低温域（例えば、３５〜４５℃程度）の混合湯水を使用する頻度の高い使用空間において特に好適に用いられる。一次混合部から供給される混合湯水が低温域であれば、各水栓の水栓本体やこれらに接続される接続継手の表面温度が高くならないため、使用者がこの水栓本体等に手を触れても、火傷を負うことはないからである。また、各水栓の操作を誤ったとしても、吐水、噴出等する混合湯水が低温域であり、安全であるからである。更に、本ユニットでは、各使用空間で中温域及び高温域の混合湯水を使用する場合にも、一次混合部から必要以上に高い温度の混合湯水を供給する必要がないため、使用者が水栓本体等に誤って手を触れて火傷を負ったとしても、その火傷を軽症に止められるという効果が得られる。
【０００８】
また、本ユニットでは、一次混合部を各水栓から離れた位置に配置できるため、この混合部を、各水栓を使用している者の手の届き難い箇所に配置して、安全性をより一層、高くすることもできる。
更に、本ユニットでは、第１の水栓が混合機構を備えないため、この水栓をコンパクトにできる。しかも、一次混合部の働きで、第１の水栓からは適温の混合湯水を確実に吐水できる。従って、各使用空間に複数の水栓を配置する必要がある場合に、各水栓の性能を落とさずに、何れかの水栓をコンパクトにできる。例えば、浴室に浴槽用及び洗い場用の２つの水栓を配置したいが、何れか一方の水栓について十分な配置スペースを確保できない場合とか、何れか一方の水栓の配置スペースを小さくして浴室内をすっきりとさせたい場合等に有効である。尚、第２の水栓を構成する二次混合部と、この水栓の吐水量調節部分とを別体とし、この吐水量調節部分と一次混合部を結ぶ配管の中間に二次混合部を配置すれば、この吐水量調節部分もコンパクトにできる。
【０００９】
また、第１及び第２の水栓の適温域が近ければ、第２の水栓には、一次混合部から適温若しくはこれよりもやや高い温度の混合湯水が提供される。この場合、適温の混合湯水を吐水、噴出させるために費やされる第２の水栓の操作上の手間は、高温域の湯を給湯管から直接受け取る従来の水栓を用いる場合の手間に比べ、小さい。例えば、浴室に配置される浴槽用水栓の適温は４５℃前後で、洗い場用水栓の適温は４２℃前後であるのが一般的である。このとき、第２の水栓としての洗い場用水栓には、一次混合部から供給された混合湯水を約３度だけ低下させるような操作を施せば足りるからである。
また、本発明の「使用空間」とは、住宅等の個人的生活空間や、宿泊施設、オフィス、工場、学校、百貨店等の社会的生活空間に設けられた部屋、室等の各種スペースのうちで、湯水を所定の目的で使用するものをいう。尚、複数の使用空間を備える住宅等では、互いに隣接する使用空間が壁等で仕切られていることが多いが、本発明は、この壁等で仕切られた使用空間ばかりでなく、壁等で仕切られていない連続する使用空間にも適用できる。更に、本発明の「湯水を所定の目的で使用する使用空間」としては、「湯水を入浴等のために用いる浴室」等を例示できる。但し、この使用空間には、洗面所を兼ねた浴室等のように、湯水を複数の目的のために用いるものも含まれる。
【００１０】
また、一次混合部及び二次混合部の主体をなす湯水の混合機構の形式、構造等は特に問わない。例えば、２ハンドルタイプ、サーモスタットタイプ、シングルレバータイプ等の混合機構を例示できる。尚、２ハンドルタイプの混合機構は比較的、安価であるが、適温、適量の混合湯水を吐水、噴出させるために、水量調節用ハンドル及び湯量調節用ハンドルを繰り返し操作しなければならず、操作が面倒である。一方、サーモスタットタイプの混合機構では、温度調節用ハンドル及び切換用ハンドルを所定の目盛りに合わせれば、適温、適量の混合湯水を吐水等させられるため、操作が簡単であるが、構造が複雑で高価であると共に保守、点検が面倒である。このため、従来より、コストの低廉化に重点をおくと、２ハンドルタイプが選択され、使い勝手の良さに重点をおくと、サーモスタットタイプが選択される傾向がある。一方、本ユニットでは、二次混合部が２ハンドルタイプの混合機構を用いて構成されても、その操作はそれ程、面倒ではないことがある。前述のように、各水栓の適温域が近ければ、第２の水栓から適温、適量の混合湯水を吐水等させるための操作はあまり面倒でないからである。このため、本ユニットでは、二次混合部として２ハンドルタイプの混合機構を採用しても、十分に使い勝手が良い。従って、本ユニットでは、各使用空間に配置されるサーモスタットタイプの混合機構の数を少なくして、ユニット全体の施工コストや、保守、点検の手間、コスト等を低くしつつ、ユニット全体の使い勝手を良いものとできる。
【００１１】
請求項１では、前記一次混合部を、前記第１の水栓と、前記第２の水栓との間に配置されるものとしている。
本発明では、一次混合部を各水栓の中間に配置しているため、何れかの水栓を使用している者にとっても、一次混合部を操作し易い。また、一次混合部を各水栓の中間に配置することで、この混合部から第１及び第２の水栓に至る配管をより一層、短くできるため、請求項１の発明の目的がより確実に達成される。
尚、請求項１の水栓ユニットでは、各使用空間における一次混合部の上流側の箇所に、以下に述べる機能部品を付加してもよい。即ち、使用空間に導かれる給水管及び給湯管の各々に止水栓部を接続し、この止水栓部よりも下流側にストレーナ部を配置する。そして、給水管に連絡された水側のストレーナ部の下流側に、この給水管を分岐する分岐部を配置し、これにより分岐された配管路の各々を一次混合部及び二次混合部に接続する。また、給湯管に連絡された湯側のストレーナ部の下流側に一次混合部を接続するのである。
【００１２】
この場合には、本ユニットを構成する各水栓が上流側に集約されたストレーナ部（即ち、ストレーナ）を共用できる。このため、各水栓の水栓本体内にストレーナを配置したり、各水栓にストレーナ付きの接続継手（ソケット等）を用いる必要がない。従って、水栓本体をコンパクトで、簡易な構造とできると共に、ストレーナの清掃、交換等ために水栓本体を分解する作業も不用となり、この清掃等を効率的に行うことができる。また、ストレーナ付きの接続継手を用いないため、各使用空間に配置されるストレーナの数が少なくなる点からも、ストレーナの清掃等を効率的に行うことができる。尚、ストレーナ付きのソケット等を用いる従来の手法によると、通常、使用空間に配置された水側及び湯側の各ソケットと同数のストレーナ（水栓の数の２倍のストレーナ）を用いることになる。一方、この機能部品を付加する態様では各使用空間に配置される水栓の数が幾つであろうと、この空間内に２つのストレーナ（部）を配置すればよいことになる。
【００１３】
更に、この機能部品を付加する態様では、使用空間に配置される水栓が接続継手を用いるタイプであっても、この継手内にストレーナを配置する必要がない分だけ、この継手をコンパクトにでき、この継手、ひいては水栓の使用空間内部への張り出し量が少なくなる。また、本ユニットを利用することで、水栓本体の構造を簡易にしたり、使用するストレーナを少なくできるため、これを通じて水栓の製造コストや施工コストの低廉化が図られる。尚、前述した配管設備（特開平８−１５１６６７号公報）では、ストレーナを住宅に配置される配管の上流側に集中させている。しかしながら、この設備では、全ての使用空間の上流側、即ち、住宅に配置される全ての水栓の上流側にストレーナを設けたものであるため、このストレーナと、各水栓との間の相当長い配管内で生じた錆びや水垢等を除去することができない。このため、この設備では、個々の水栓毎にストレーナを配置することが必要となる。これに対して、この機能部品を付加する態様では、各使用空間という限られた範囲にストレーナ部（即ち、ストレーナ）及びこれに対応する水栓を配置しているため、このストレーナ部の下流側の配管を短くできる。そして、この短い配管内部に生じ得る錆び、水垢等の量は無視できる程度であり、各水栓毎のストレーナを省略できる。
【００１４】
また、これらの機能部品を適宜一体的としてもよい。例えば、給水管に連絡される水側のストレーナ部及び止水栓部を一体としたり、給湯管に連絡される湯側のストレーナ部及び止水栓部を一体としてもよい。また、水側の機能部品においては、止水栓部、ストレーナ部及び分岐部を一体としたり、ストレーナ部及び分岐部を一体としてもよい。そして、このように機能部品を一体化することで、これらの機能部品の配置スペースを小さくしたり、これらの部品の施工やメンテナンスを効率的に行うことができる。
更に、これらのストレーナ部と、止水栓部とが、個々の使用空間に設けられた点検口に露呈されるものとしてもよい。この場合には、ストレーナ部の清掃や、これに先立つ止水栓部の操作等を使用空間の内部からこの点検口を通じて簡単に行うことができる。特に、給水管側のストレーナ部等と、給湯管側のストレーナ部等を同一の点検口に露呈させれば、本ユニットに設けられた全てのストレーナ部等のメンテナンス等を一箇所で行うことができ有益である。尚、この「点検口」としては、使用空間に配置されたカウンターの天板若しくは前板に設けられる点検口や、浴槽のエプロンに設けられる点検口の他に、使用空間の周壁面に設けられる点検口等を例示できる。尚、使用空間の内部に露出するタイプの点検口においては、水栓ユニットの使用時にこの点検口に蓋を被せておき、止水栓部の操作時等に、この蓋を取り外すのが一般的である。
【００１５】
【発明の実施の形態】
以下、この発明の実施の形態を説明する。
本実施の形態では、図１を用いて、住宅の使用空間の一つである浴室Ｙに配置される水栓ユニットの概要を説明する。
この住宅には給水源から供給される水を各使用空間に給水する給水管１０と、給水源から供給される水を給湯器に通し高温域の湯にしてから各使用空間に給湯する給湯管１１とが配置されている。また、この浴室Ｙは、浴槽Ｄと洗い場Ｗとを備えたバスユニットを用いて構成されている。更に、浴槽Ｄ及び洗い場Ｗの前方にはカウンターＫが配置されている。
そして、本ユニットは浴室Ｙに導かれた給水管１０の浴室側分配部Ｃと、給湯管１１の浴室側分配部Ｈとに接続されている。また、このユニットは、夫々２つずつ配置された止水栓部２１、３１及びストレーナ部２２、３２と、水側分岐部２３と、一次混合部４１と、第１の水栓としての浴槽用水栓５１と、第２の水栓としての洗い場用水栓５２とを備えている。
【００１６】
このうち、給水管１０の浴室側分配部Ｃに接続された水側止水栓部２１は、コマと、これを進退させるスピンドルとを備えている。この止水栓部２１では、このスピンドルを操作して、本ユニットへの給水の開始と中止とを選択する。
また、水側止水栓部２１の下流側に配置された水側ストレーナ部２２は、メッシュ金網を主体に構成されたストレーナ（図示を省略）を備える。そして、本ユニットに給水される水中の錆び、水垢等の異物を除去するために用いられる。
更に、水側ストレーナ部２２の下流側に配置された水側分岐部２３はＴ字状継手等を用いて構成されている。そして、この分岐部２３の上流側の接続口が水側ストレーナ部２２に連絡されている。また、下流側の２股に枝別れした各接続口の一方には第１水側接続管２５の一端側が接続され、他方には第２水側接続管２６の一端側が接続されている。更に、第１水側接続管２５の他端側は、一次混合部４１に接続され、第２水側接続管２６の他端側は、洗い場用水栓５２に接続されている。尚、これらの接続管２５、２６は、給水管１０の浴室側の終端部を夫々構成している。
【００１７】
また、給湯管１１の浴室側分配部Ｈに接続された湯側止水栓部３１及びこの下流側に配置された湯側ストレーナ部３２も、水側の対応する各機能部品２１、２２と同様な構成とされている。更に、湯側ストレーナ部３２の下流側の接続口には湯側接続管３５の一端側が接続され、この接続管３５の他端側は一次混合部４１に接続されている。尚、この接続管３５は、給湯管１１の浴室側の終端部を構成している。尚、水側ストレーナ部２２及び水側分岐部２３の間と、湯側ストレーナ部３２及び一次混合部４１の間に、夫々逆止弁部を配置してもよい。
また、本実施の形態では、これらの機能部品２１〜２３、３１、３２を、カウンターＫの天板部のうちで、浴室Ｙの入り口寄りの箇所の下方空間６１に配置している。但し、これらの機能部品２１〜２３、３１、３２の配置箇所はこれに限定されない。例えば、この天板部における他の箇所の下方空間（例えば、一次混合部４１の下方）や、浴室Ｙの壁パネルの裏面側空間（壁の内部空間）等であってもよい。
【００１８】
また、浴室Ｙには各機能部品２１〜２３、３１、３２を浴室Ｙの内部に露呈させるための点検口６５が設けられている。そして、この点検口６５はカウンターＫの前板部を切り欠いて構成されている。但し、この点検口６５を設ける箇所はこれに限定されず、例えば、この前板部の他の部分を切り欠いたり（符号６６を参照）、天板部を切り欠いて構成することもできる。また、浴室Ｙの壁パネルの裏面側空間に各機能部品２１〜２３、３１、３２を配置する場合には、この壁パネルを切り欠いて点検口とすることができる。尚、本ユニットの使用時には、この点検口６５に蓋が被せられ、各止水栓部２１、３１を操作したり、各ストレーナ部２２、３２を清掃等する際に、この蓋は取り外される。
【００１９】
更に、一次混合部４１は、上面側を露出させた状態で、カウンターＫにおける浴槽Ｄ及び洗い場Ｗの略境目の箇所に埋め込まれている。また、この混合部４１の内部には、サーモスタット機構（温度自動調節機構）が配置され、上面側には温調ハンドルｈが配置されている。そして、このハンドルｈを操作することで、サーモスタット機構の作動が制御され、第１水側接続管２５を用いて供給される水及び湯側接続管３５を用いて供給される湯が、この混合部４１の内部の湯水混合室で混合され、適温の混合湯水（以下、「一次混合湯水」という。）とされる。また、この一次混合湯水は、第１湯水管３７を用いて浴槽用水栓５１に供給されると共に、第２湯水管３８を用いて洗い場用水栓５２に供給される。
更に、浴槽用水栓５１は湯水の混合機構を備えない単水栓であり、第１湯水管３７を通じて供給される一次混合湯水を、略そのままの温度で吐水管Ｔから流出させる。また、この水栓５１は、上面側のみを露出させた状態でカウンターＫの天板に埋め込まれている。更に、上面側に設けられた吐水ハンドルｔを操作して、吐水管Ｔから吐水する一次混合湯水の量が調節される。そして、この水栓５１は混合機構を備えないため、コンパクトな外形とされ、その配置スペースが小さくなっている。
【００２０】
また、洗い場用水栓５２は、内部に二次混合部としてのサーモスタット機構を備えた湯水混合栓である。更に、この水栓５２の右側面には温調ハンドルｐが配置され、左側面には切換ハンドルｑが配置されている。そして、温調ハンドルｐを操作することで、サーモスタット機構（二次混合部）の作動が制御され、第２水側接続管２６を用いて供給される水及び第２湯水管３８を用いて供給される一次混合湯水が、この水栓５２の内部の湯水混合室で混合され、所望の温度の混合湯水（以下、「二次混合湯水」という。）とされる。また、切換ハンドルｑを操作することで、二次混合湯水を吐水管ｒ及びシャワー（図示を省略）の何れから流出させるかを選択したり、この混合湯水の流出量を調節したり、吐水管ｒ及びシャワーの同時止水が行われる。
また、この水栓５２は、カウンターＫの前板部に、２つの接続継手（図示を省略）を用いて固定されている。そして、本ユニットでは、これらの接続継手の内部にストレーナ等の機能部品を配置しないため、その分これらの継手は小型となる。このため、これらの継手、ひいてはこの水栓５２の浴室Ｙの内部への張り出し量が少なくなっている。尚、図１中の点線Ｌは、本ユニットを構成する水栓５２の吐水口の位置を示しており、一点鎖線Ｍはこの水栓５２をストレーナ付きのソケットで固定した場合の吐水口の位置を示している。この両者を比較しても、本ユニットの場合、水栓５２の張り出し量が少ないことが判る。
【００２１】
以上の水栓ユニットでは、浴室Ｙという限られた範囲に、一次混合部４１及び各水栓５１、５２が配置され、この混合部４１の下流側の配管３７、３８が短くなっている。このため、一次混合部４１から流出する一次混合湯水を、略そのままの温度で各水栓５１、５２に供給できる。従って、一次混合部４１からは、浴槽Ｄに給湯される温度、例えば、４５℃前後の一次混合湯水が供給され、各水栓５１、５２の水栓本体や、洗い場側水栓５２に接続された接続継手の表面温度が、この温度よりも高くならない。このため、使用者が水栓本体や接続継手に手を触れても、火傷を負うことはない。また、各水栓５１、５２のハンドルｔ、ｐ、ｑの操作を誤ったとしても、吐水、噴出等する一次及び２次の混合湯水が低温域のため、安全である。尚、洗い場Ｗで、汚れのひどい下着を下洗いする場合等には、洗い場用水栓５２の吐水管ｒより、中温域若しくは高温域の混合湯水を吐水させる必要がある。かかる場合には、一次混合部４１の温調ハンドルｈを操作して、本ユニット内に中温域若しくは高温域の混合湯水を流せばよい。この場合も、本ユニット内に必要以上に高い温度（例えば、９０℃以上）の混合湯水が流れないため、給湯管１１の上流側からの湯が直接流れ込む従来の水栓を用いた場合に比べ、使用者が誤って水栓本体等に手を触れた場合の被害（火傷）を小さくできる。
【００２２】
また、本ユニットでは、一次混合部４１を各水栓５１、５２間に配置し、何れかの水栓５１、５２を使用している者であっても、少し手を伸ばせば一次混合部４１を操作できるため、使い勝手が良い。更に、一次混合部４１をこのように配置することで、この混合部４１の下流側の配管３７、３８を可能な限り短くしている点で大きな意義を有している。
更に、本ユニットでは、一次混合部４１が各水栓５１、５２から離れており、各水栓５１、５２を使用している者は手を伸ばさない限り、この混合部４１を操作できないため、この者が温調ハンドルｈを誤操作する可能性は低い。従って、本ユニットは、目を閉じて洗髪を行っている者、視力障害者、子供、老人等にとって特に有益である。尚、この混合部４１を、浴室Ｙの壁パネルの上方側等の子供の手の届き難い箇所に配置することもできる。この場合、子供がふざけて温調ハンドルｈを操作して、火傷を負う等の事故を未然に防止できる。
また、本ユニットでは、浴槽用水栓５１を混合機構を備えないコンパクトなものとしているため、浴槽Ｄを広くすっきりと使用できる。しかも、洗い場用水栓５２の張り出し量が少ないため、本ユニットを用いれば、浴室Ｙの内部を広くすっきりと有効に利用できる。
【００２３】
更に、本ユニットでは、浴室Ｙに水側及び湯側の各ストレーナ部２２、３２（ストレーナ）を配置しているため、給水源、給湯器から浴室Ｙに至る配管が長くても、本ユニットに給水される水中の異物と、給湯される湯中の異物が、各ストレーナ部２２、３２（ストレーナ）により確実に除去される。しかも、各ストレーナ部２２、３２（ストレーナ）が各水栓５１、５２と同一の使用空間、即ち、浴室Ｙという限られた空間に配置され、両者の距離が短いため、両者をつなぐ配管２３、２５、２６、３５、３７、３８の内部に生じ得る錆び、水垢等の量は無視できる程度である。従って、本ユニットでは、各ストレーナ部２２、３２（ストレーナ）の下流側に、更に別のストレーナを配置する必要がない。また、本ユニットでは、従来、水栓毎に設けていたストレーナ（部）を、浴室Ｙの全ての水栓５１、５２の上流側に集約して設け、ストレーナの数を少なくしているため、本ユニット内を流れる水及び混合湯水の流体損失（ストレーナを通過する際の流体損失）を低く抑えられるという効果も得られる。また、本ユニットでは、各機能部品２１〜２３、３１、３２を、浴室Ｙの内部から点検口６５を通じて一度に覗き込むことができる。即ち、複数の水栓５１、５２のために機能するストレーナ部２２、３２の清掃等や、これに先立つ、止水栓部２１、３１の操作を、ただ一箇所の点検口６５を通じて行えば足りるため、この清掃、操作等の手間と、コストを大きく削減できる。
【００２４】
尚、前記各発明の範囲は、前記具体的に示した実施の形態に示すものに限定されず、各発明の範囲内で種々の変形例を例示できる。
即ち、本実施の形態では、一次混合部４１及び二次混合部をサーモスタット機構を用いて構成しているが、両混合部のうちの少なくとも何れかを２ハンドルタイプ、シングルレバータイプ等の他の形式としてもよい。例えば、一次混合部４１をサーモスタット機構とすると共に、二次混合部を２ハンドルタイプとする変形例を例示できる。この変形例では、浴室Ｙの上流側に高機能で高価な一次混合部４１を配置し、下流側に安価ではあるが、一般にサーモスタット機構に比べ、操作が面倒とされている二次混合部を配置する。しかしながら、この二次混合部では、一次混合湯水を約３度冷たくするだけであるため、水量調節用ハンドル及び湯量調節用ハンドルの操作はそれ程、面倒でない。従って、この変形例の水栓ユニットは、下流側に構造が簡単で、安価な二次混合部を配置し、ユニット全体の施工コストの低廉化等を図りつつも、使い勝手が良い。
【００２５】
更に、第１及び２の各水栓５１、５２のうちの少なくとも一方が複数となってもよい。例えば、使用空間が公衆浴場・宿泊施設の大浴場やその洗い場である場合等には、これらの水栓５１、５２のうちの少なくとも何れかを複数にしたい場合がある。また、かかる場合には、一次混合部４１をサーモスタット機構を用いた高機能品とし、この下流側に２ハンドルタイプとされた複数の第２の水栓５２を配置すれば経済性に優れたユニットとなる。即ち、この場合は高価なサーモスタット機構を使用空間の下流の個々の水栓５２に設けずに、上流側に集約して設け、これを多数の水栓５２が共用する。そして、ユニット全体の施工コストや、保守、点検の手間、コストを大きく省略しながら、このユニットの使い勝手、性能は十分であるからである。また、このように、多数（例えば、２〜１０個）の水栓５１、５２を並べる場合にも、各水栓の上流側に２つのストレーナ部を設ければ足りることになる。
更に、本実施の形態では、浴槽用水栓５１を埋め込みタイプとし、洗い場用水栓５２を壁付きタイプとしているが、各水栓５１、５２の配置形式はこれに限定されない。
【００２６】
【発明の効果】
以上のように、請求項１の水栓ユニットによると、使用空間に複数の水栓を配置する場合に、各水栓の性能を落とすことなく、所望の水栓をコンパクトにしたり、各水栓の安全性を高めることができる。
請求項１の発明によると、水栓ユニットの使い勝手が更に向上する。
【図面の簡単な説明】
【図１】発明の実施の形態の水栓ユニットの概要的な平面図（配管系統図）である。
【符号の説明】
Ｙ；浴室（使用空間）、Ｄ；浴槽、Ｗ；洗い場、
１０；給水管、Ｃ；浴室側分配部、１１；給湯管、Ｈ；浴室側分配部、
２１；水側止水栓部、２２；水側ストレーナ部、２３；水側分岐部、２５、２６；水側接続管、
３１；湯側止水栓部、３２；湯側ストレーナ部、３５；湯側接続管、３７、３８；湯水管、
４１；一次混合部、ｈ；温調ハンドル、
５１；浴槽用水栓、Ｔ；吐水管、ｔ；吐水ハンドル、５２；洗い場用水栓、ｐ；温調ハンドル、ｑ；切換ハンドル、ｒ；吐水管、
Ｋ；カウンター、６１；下方空間、６５、６６；点検口。
【図１】
0003796702.tif 000002